(57)【要約】      （修正有）【課題】コンプレッサーのモーターオーバーヒート及び損傷を防止し、同時に電気コネクタの電極破裂を有効に防止するコンプレッサーの過負荷保護装置を提供する。【解決手段】コンプレッサー３０の過負荷保護装置は、電気コネクタ３３の第一電極で第一過負荷保護回路４１を電気連接し、外部電源の第一電源コードと電気連接する他に、電気コネクタの第二、第三電極箇所で第二過負荷保護回路４２を連接し、及び第三電極及び第一電極の間にコンデンサーを電気連接する。コンプレッサーの運転が過負荷状態になった時、第一、第二過負荷保護回路は、どちらも第一、第二電源コードに対して必要な保護機構を稼働させる。【選択図】図２
0003167021.tif 000002
【実用新案登録請求の範囲】
【請求項１】
コンプレッサーの筐体箇所に電気コネクタを設置して筐体内部を構成するモーターを外部電源と電気連接するのに用いるコンプレッサーの過負荷保護装置において、そのうち、
該電気コネクタは、そのうちの第一電極で第一過負荷保護回路を電気連接し、該第一過負荷保護回路で外部電源の第一電源コードと電気連接し、他に、該電気コネクタの第二電極及び第三電極箇所に第二過負荷保護回路を連接し、第三電極及び第一電極の間にコンデンサーを電気連接し、及び該第二電極によって外部電源の第二電源コードと電気連接することを特徴とするコンプレッサーの過負荷保護装置。
【請求項２】
前記第一過負荷保護回路は、コンプレッサーの筐体内部に設置し、該第二過負荷保護回路は、コンプレッサーの筐体外部に設置することを特徴とする請求項１記載のコンプレッサーの過負荷保護装置。
【請求項３】
前記第一過負荷保護回路は、コンプレッサーの筐体外部に設置し、該第二過負荷保護回路は、コンプレッサーの筐体内部に設置することを特徴とする請求項１記載のコンプレッサーの過負荷保護装置。
【請求項４】
前記第一過負荷保護回路及び該第二過負荷保護回路は、コンプレッサーの筐体外部に設置することを特徴とする請求項１記載のコンプレッサーの過負荷保護装置。
【請求項５】
前記第一過負荷保護回路及び該第二過負荷保護回路は、コンプレッサーの筐体内部に設置することを特徴とする請求項１記載のコンプレッサーの過負荷保護装置。
【考案の詳細な説明】
【技術分野】
【０００１】
本考案は、過負荷保護装置に関するもので、特にコンプレッサーのモーターに応用してオーバーヒートや損傷を防止するコンプレッサーの過負荷保護装置に係わる。
【背景技術】
【０００２】
コンプレッサーは、冷蔵庫、クーラー、衣類乾燥機、ヒートポンプ給湯機もしくは除湿機等電気製品に普遍的に使用されており、主に主電力を受けて駆動するモーターを設置してポンプを動かし、出入りする気体を圧縮する。また一般のコンプレッサーにはモーターが過負荷運転によってオーバーヒート及び損傷するのを防止するため、通常、過負荷保護回路（Over Load Protector, OLP）が設置されている。
【０００３】
図１に示すとおり、公知のコンプレッサーの過負荷保護装置は、主にコンプレッサー１０の筐体１１外部に過負荷保護回路２０が設置され、該過負荷保護回路２０は外部電源とコンプレッサー１０の電気コネクタ１２によって構成されて電気連接し、更に過負荷保護回路２０によってコンプレッサーが過負荷運転した場合、連接した電源コードＬ１を保護し、コンプレッサーのモーターが過負荷運転によってオーバーヒート及び損傷するのを防止する。
【考案の概要】
【考案が解決しようとする課題】
【０００４】
解決しようとする問題点は、一般のコンプレッサーは、二本の電源コード(Ｌ１、Ｌ２)で外部電源と連接するので、上述の公知コンプレッサー１０のモーターがショートした場合、該過負荷保護回路２０に連接した電源コードＬ１だけが保護され、別の電源コードＬ２は通電状態であるため、反対に瞬間的に大電流が通過しやすくなり、該電源コードＬ２と電気コネクタ１２の電気連接した接点を破裂させてしまう点である。
【課題を解決するための手段】
【０００５】
本考案は、電気コネクタの第一電極で第一過負荷保護回路を電気連接し、外部電源の第一電源コードと電気連接する他に、電気コネクタの第二、第三電極箇所で第二過負荷保護回路を連接し、及び第三電極及び第一電極の間にコンデンサーを電気連接する。コンプレッサーの運転が過負荷状態になった時、第一、第二過負荷保護回路は、どちらも第一、第二電源コードに対して必要な保護機構を稼働させることを最も主要な特徴とする。
【考案の効果】
【０００６】
本考案のコンプレッサーの過負荷保護装置は、コンプレッサーのモーターオーバーヒート及び損傷を防止し、同時に電気コネクタの電極破裂を有効に防止するという利点がある。
【図面の簡単な説明】
【０００７】
【図１】公知のコンプレッサーの過負荷保護装置の回路アーキテクチャ指示図である。
【図２】本考案の第一実施例のコンプレッサーの過負荷保護装置構造断面図である。
【図３】本考案の第一実施例のコンプレッサーの過負荷保護装置回路アーキテクチャ指示図である。
【図４】本考案の第一種の回路構成使用参考図である。
【図５】本考案の第二種の回路構成使用参考図である。
【図６】本考案の第三種の回路構成使用参考図である。
【考案を実施するための形態】
【０００８】
本考案は、コンプレッサーのモーターのオーバーヒート及び損傷を防止し、及び電極破裂を有効に防止するコンプレッサーの過負荷保護装置を提供する。
【０００９】
上述の目的のため、本考案のコンプレッサーの過負荷保護装置は、コンプレッサーの筐体箇所に、電気コネクタを設置して筐体内部を構成するモーターに外部電源と電気連接する。そのうち、該電気コネクタは、そのうちの第一電極で第一過負荷保護回路を電気連接して該第一過負荷保護回路で外部電源の第一電源コードと電気連接する他に、電気コネクタの第二、第三電極箇所に、第二過負荷保護回路を連接し、及び第三電極及び第一電極の間にコンデンサーを電気連接する。
【００１０】
外部電源が第一電源コード、電二電源コードもしくは同時に第一、第二電源コードへの通電に関わりなく、コンプレッサーの運転が過負荷状態になった時、第一過負荷保護回路及び第二過負荷保護回路の作用の下、すべて第一、第二電源コードに対して必要な保護機構が働き、コンプレッサーのモーターオーバーヒート及び損傷を防止し、同時に電気コネクタの電極破裂を有効に防止する。
【００１１】
本考案のコンプレッサーの過負荷保護装置において、実施時、該第一OLP過負荷保護回路はコンプレッサーの筐体内部に設置し、該第二OLP過負荷保護回路はコンプレッサーの筐体外部に設置する。
【００１２】
本考案のコンプレッサーの過負荷保護装置に於いて、実施時、該第一OLP過負荷保護回路はコンプレッサーの筐体外部に設置し、該第二過負荷保護回路はコンプレッサーの筐体内部に設置する。
【００１３】
本考案のコンプレッサーの過負荷保護装置に於いて、実施時、該第一過負荷保護回路及び該第二過負荷保護回路は、コンプレッサーの筐体外部に設置する。
【００１４】
本考案のコンプレッサーの過負荷保護装置に於いて、実施時、該第一過負荷保護回路及び該第二過負荷保護回路は、コンプレッサーの筐体内部に設置する。
【００１５】
前述の公知コンプレッサーの過負荷保護装置と比較して，本考案のコンプレッサーの過負荷保護装置は、コンプレッサー運転が過負荷状態になった時、連接した外部電源の第一、第二電源コードに対して保護機構が働き、コンプレッサーのモーターオーバーヒート及び損傷を防止し、同時に電気コネクタの電極破裂を有効に防止する。故に相対してコンプレッサー運転を保護して向上させ、コンプレッサーの信頼性を高める。
【実施例】
【００１６】
図２は本考案の第一実施例で、コンプレッサーの過負荷保護装置構造断面図であり、図３は本考案の第一実施例のコンプレッサーの過負荷保護装置回路アーキテクチャ指示図である。本考案のコンプレッサーの過負荷保護装置は、コンプレッサー３０の筐体３１に、電気コネクタ３３を設置して筐体３１内部を構成するモーター３２と外部電源の電気連接に用いる。そのうち、
【００１７】
該電気コネクタ３３は、その中の第一電極３３１で第一過負荷保護回路４１を電気連接し、該第一過負荷保護回路４１で外部電源の第一電源コードＬ１と電気連接する。他に、該電気コネクタ３３の第二電極３３２及び第三電極３３３箇所で、第二過負荷保護回路４２を連接し、第三電極３３３及び第一電極３３１の間でコンデンサー４３を電気連接し、及び該第二電極３３２によって外部電源の第二電源コードＬ２と電気連接する。
【００１８】
拠って、本考案のコンプレッサーの過負荷保護装置は、図４においては該第一電源コードＬ１で外部電源の通電を受け、図５においては該第二電源コードＬ２で外部電源の通電を受け、もしくは図６に示すように、該第一電源コードＬ１及び第二電源コードＬ２同時で外部電源の通電を受ける。
【００１９】
外部電源は、第一電源コードＬ１、電二電源コードＬ２もしくは同時に第一、第二電源コードＬ１、Ｌ２に通電するのに関わりなく、コンプレッサー３０の運転が過負荷状態になった時、第一過負荷保護回路４１及び第二過負荷保護回路４２の作用の下、第一、第二電源コードＬ１、Ｌ２のどちらに対しても必要な保護機構が稼働し、コンプレッサー３０のモーター３２のオーバーヒート及び損傷を防止し、同時に電気コネクタ３３の電極破裂を有効に防止する。
【００２０】
特に、本考案の技術的特徴として、コンプレッサー３０の実際設計に基づき、該第一過負荷保護回路４１をコンプレッサー３０の筐体３１内部に設置して該第二過負荷保護回路４２はコンプレッサー３０の筐体３１外部に設置するか、もしくは該第一過負荷保護回路４１はコンプレッサー３０の筐体３１外部に設置して該第二過負荷保護回路４２をコンプレッサー３０の筐体３１内部に設置するかを選択する。
【００２１】
当然、該第一過負荷保護回路４１及び該第二過負荷保護回路４２を同時にコンプレッサー３０の筐体外部３１に設置してもよく、もしくは該第一過負荷保護回路４１及び該第二過負荷保護回路４２を同時にコンプレッサー３０の筐体３１内部に設置してもよく、どちらもコンプレッサー３０のモーター３２オーバーヒート損傷を防止し、電極破裂を有効に防止する効果がある。
【００２２】
具体的に、本考案のコンプレッサー３０の過負荷保護装置は、コンプレッサー３０の運転が過負荷状態になった時、連接した外部電源の第一、第二電源コードに必要な保護機構を働かせ、コンプレッサー３０のモーター３２オーバーヒート及び損傷を防止し、同時に電気コネクタ３３の電極破裂を有効に防止する。故に、相対してコンプレッサー３０の運転を安全に保ち、更にコンプレッサー３０の信頼性を高める。
【００２３】
上述のとおり、本考案は実施可能なコンプレッサーの過負荷保護装置を提供し、法に基づき実用新案登録を申請する。本考案の技術内容及び技術的特徴は、既に挙げたとおりであるが、当領域に習熟した者が本考案の精神から乖離しない入替及び修飾を行うかもしれない。拠って、本考案の保護範囲は、実施例に制限されず、各種本考案から乖離しない入替及び修飾も以下の請求範囲に含むこととする。
【符号の説明】
【００２４】
１０          コンプレッサー
１１          筐体
１２          電気コネクタ
２０          過負荷保護回路
３０          コンプレッサー
３１          筐体
３２          モーター
３３          電気コネクタ
３３１        第一接点
３３２        第二接点
３３３        第三接点
４１          第一過負荷保護回路
４２          第二過負荷保護回路
４３          コンデンサー
【図１】
0003167021.tif 000003
【図２】
0003167021.tif 000004
【図３】
0003167021.tif 000005
【図４】
0003167021.tif 000006
【図５】
0003167021.tif 000007
【図６】
0003167021.tif 000008